(57)【要約】【課題】電磁波シールド効果を有する携帯電話機またはパーソナルコンピュータ用アンテナを提供する。【解決手段】携帯電話機またはパーソナルコンピュータ用アンテナであって、携帯電話機またはパーソナルコンピュータの外装ケース、またはプレート乃至シート状よりなる少なくとも１層のアンテナ基体に、少なくとも１層の、磁性粉体を含む電磁波遮断および吸収層と、該電磁波遮断および吸収層の表面に極薄の絶縁層を介し、複数のアンテナパターンを１層に、または積層にして設け、各アンテナパターンからの端子を集約して出力接点としたものであり、さらには前記アンテナ基体の表面形状を表面積を大きくするため、または受信電波に対する感度を良くするため角度付けした波形凹凸表面を有するものとしたアンテナ。【選択図】図１
2009159588.tif 000002
【特許請求の範囲】
【請求項１】
携帯電話機またはパーソナルコンピュータ用アンテナであって、携帯電話機またはパーソナルコンピュータの外装ケース、またはプレート乃至シート状よりなる少なくとも１層のアンテナ基体に、少なくとも１層の、磁性粉体を含む電磁波遮断および吸収層と、該電磁波遮断および吸収層の表面に極薄の絶縁層を介し、複数のアンテナパターンを１層に、または積層にして設け、各アンテナパターンからの端子を集約して出力接点としたことを特徴とする携帯電話機またはパーソナルコンピュータ用アンテナ。
【請求項２】
携帯電話機またはパーソナルコンピュータ用アンテナであって、携帯電話機またはパーソナルコンピュータの外装ケース、またはプレート乃至シート状よりなる少なくとも１層のアンテナ基体に、複数のアンテナパターンを１層に、または極薄の絶縁層を介して積層にして設け、各アンテナパターンからの端子を集約して出力接点としたことを特徴とする携帯電話機またはパーソナルコンピュータ用アンテナ。
【請求項３】
前記電磁波遮断および吸収層は、印刷インキまたは塗料による保持材と、該保持材により保持固定され、かつ前記磁性粉体間が非導通状態に構成された１層内の磁性粉体の平均粒径が同一または異なる層を複数層積層したことを特徴とする請求項１に記載の携帯電話機またはパーソナルコンピュータ用アンテナ。
【請求項４】
前記磁性粉体が少なくともＴｉ、Ｃｕ、Ｆｅ、Ｎｉ、Ｍｇ、Ｃ、Ｎｄ、ＡｕまたはＡｇの群より選ばれた１種であることを特徴とする請求項１または３に記載の携帯電話機またはパーソナルコンピュータ用アンテナ。
【請求項５】
前記アンテナパターンは、導電性粉体を混合した印刷インキによる印刷アンテナパターンまたは金属メッキアンテナパターンであることを特徴とする請求項１、３，４のいずれか１項に記載の携帯電話機またはパーソナルコンピュータ用アンテナ。
【請求項６】
前記平均粒径の異なる複数の磁性粉体は、平均粒径の差が２０％以上の差を有する複数の磁性粉体であることを特徴とする請求項１、３〜５のいずれか１項に記載の携帯電話機またはパーソナルコンピュータ用アンテナ。
【請求項７】
前記電磁波遮断および吸収層層は、厚さが５０〜５００μｍであり、前記アンテナパターンは厚さ５〜５０μｍ、線幅１０〜１０００ μｍ であることを特徴とする請求項１、３〜６のいずれか１項に記載の携帯電話機またはパーソナルコンピュータ用アンテナ。
【請求項８】
前記電磁波遮断および吸収層層は、厚さが５０〜５００μｍであり、前記アンテナパターンが厚さ５〜５０μｍ、面積が０．２５〜５０ｃｍ2 のベタ面状アンテナを含むものであることを特徴とする請求項１、３〜７のいずれか１項に記載の携帯電話機またはパーソナルコンピュータ用アンテナ。
【請求項９】
前記プレート状またはシート状よりなるアンテナ基体が、その表面形状が表面積を大きくするため、または受信電波に対する感度を良くするため角度付けした波形凹凸表面を有するものであることを特徴とする請求項１〜８のいずれか１項に記載の携帯電話機またはパーソナルコンピュータ用アンテナ。
【請求項１０】
前記プレート状またはシート状よりなるアンテナ基体が、波形凹凸表面部と平坦表面部とより構成されていることを特徴とする請求項１〜８のいずれか１項に記載の携帯電話機またはパーソナルコンピュータ用アンテナ。
【請求項１１】
前記プレート状またはシート状よりなるアンテナ基体の表面形状における波形凹凸表面は、アンテナパターンの配線集約度に対応した凹凸分布を有することを特徴とする請求項８または９に記載の携帯電話機またはパーソナルコンピュータ用アンテナ。
【発明の詳細な説明】
【技術分野】
【０００１】
本願発明は、携帯電話機またはパーソナルコンピュータ用アンテナに関するものである。
【背景技術】
【０００２】
昨今、携帯電話機またはパーソナルコンピュータの機能、性能のアップは目覚ましいものがあり、通信機能ばかりでなく、カメラ機能、ＴＶ受像、音響受信、ＧＰＳ機能等を併せ備えたものが、実用化されている。また、それに対する携帯電話機またはパーソナルコンピュータ内における電子回路も多様化し、その小型化にも限度があるところから、電子回路に必要な専用スペースの問題も顕在化してきている。
また、電波を受信するためのアンテナは、前記電子回路との干渉を回避するために、その必要量に対し極めて限られたスペースしか与えられないという問題点が生じてきている。また、受信アイテムの多様化から複数のアンテナを装備することが求められ、その配設に多くの問題がクローズアップされてきている。
また、外部電磁波に対する回路への電磁波遮断技術、または回路自身より発する電磁波の外部に対するシールド技術など多くの研究がなされており、ゴムなどの高分子材料にカーボンブラック、黒鉛を充填したもの（例えば、特許文献１参照）、金属箔を利用したもの（例えば、特許文献２参照）、スパッタリングによりＡｇ合金膜を作成するもの（例えば、特許文献３参照）などがある。
【０００３】
【特許文献１】特開２００３−２５８４９１号公報
【特許文献２】特開２００３−６０３８７号公報
【特許文献３】特開２００３−３４８２８号公報
【発明の開示】
【発明が解決しようとする課題】
【０００４】
上述のごとく、内部より発生する電磁波は、これを防止するためにの規制、例えばＶＣＣＩ（情報装置等電波障害自主規制協議会）規制など、ますます厳しくなっており、前述のごとく色々な手法によりこれに対処する努力も一応は図られているが、動作周波数の増加などによる外部からの電磁波の遮断は、従来のシールド方式（例えば、導電性塗装や真空蒸着など）の平坦面的な遮断では必ずしも満足できるものではなくなりつつある。また、内蔵するアンテナとの干渉を回避する手段もそのスペースの点より問題を提起しつつある。
【０００５】
すなわち、従来方式の電磁波の平坦面的なシールド方式では、反射現象、干渉現象、広角入射などに対しては必ずしも十分なものとは言えない。また、多様化するアンテナの配設に関して、従来のアンテナ配備方式では必ずしも十分とは言えない。
【０００６】
本発明はこれらに鑑み、安価で、形状に対する対応性が良く、広角入射する電磁波をよりよく遮断し、かつ、多様化されるアンテナに対し、スペース的に自由度の大きな携帯電話機またはパーソナルコンピュータ用アンテナを提供することを目的とするものである。
【課題を解決するための手段】
【０００７】
本発明の携帯電話機またはパーソナルコンピュータ用アンテナは、
１） 携帯電話機またはパーソナルコンピュータ用アンテナであって、携帯電話機またはパーソナルコンピュータの外装ケース、またはプレート乃至シート状よりなるアンテナ基体に、少なくとも１層の、磁性粉体を含む電磁波遮断および吸収層と、該電磁波遮断および吸収層の表面に極薄の絶縁層を介し、複数のアンテナパターンを１層に、または積層にして設け、各アンテナパターンからの端子を集約してワンタッチの出力接点としたものである。
２）また、携帯電話機またはパーソナルコンピュータ用アンテナであって、携帯電話機またはパーソナルコンピュータの外装ケース、またはプレート乃至シート状よりなるアンテナ基体に、複数のアンテナパターンを１層に、または絶縁層を介して積層にして設け、各アンテナパターンからの端子を集約してワンタッチの出力接点としたものである。
３）上述の１）において、前記電磁波遮断および吸収層を、印刷インキまたは塗料による保持材と、該保持材により保持固定され、かつ前記磁性粉体間が非導通状態に構成された１層内の磁性粉体の平均粒径が同一または異なる層を複数層積層したものであり、
４）上述の１）または３）において、前記磁性粉体を少なくともＴｉ、Ｃｕ、Ｆｅ、Ｎｉ、Ｍｇ、Ｃ、Ｎｄ、ＡｕまたはＡｇの群より選ばれた１種としたものであり、
５）上述の１）または３）〜４）のいずれかにおいて、前記アンテナパターンを、導電性粉体を混合した印刷インキによる印刷アンテナパターンまたは金属メッキアンテナパターンとしたものであり、
６）さらに、上述の１）または３）〜５）のいずれかにおいて、前記平均粒径の異なる複数の磁性粉体を、平均粒径の差が２０％以上の差を有する複数の磁性粉体としたものであり、
７）上述の１）または３）〜６）のいずれかにおいて、前記電磁波遮断および吸収層層を、厚さが５０〜５００μｍとし、前記アンテナパターンは厚さ１０〜５０μｍ、線幅１０〜１０００ μｍ としたものであり、
８）上述の１）または３）〜７）のいずれかにおいて、前記電磁波遮断および吸収層層は、厚さが５０〜５００μｍであり、前記アンテナパターンが厚さ１０〜５０μｍ、面積が０．２５〜５０ｃｍ2 のベタ面状アンテナを含むものものである。
【０００８】
また、本発明の携帯電話機またはパーソナルコンピュータ用アンテナは、
９） 上述の１）〜８）のいずれかにおいて、前記プレート状またはシート状よりなるアンテナ基体が、その表面形状が表面積を大きくするため、または受信電波に対する感度を良くするため角度付けした波形凹凸表面を有するものであり、
１０）上述の１）〜８）のいずれかにおいて、 前記プレート状またはシート状よりなるアンテナ基体が、波形凹凸表面部と平坦表面部とより構成されているものであり、
１１）上述の８）または９）において、前記プレート状またはシート状よりなるアンテナ基体の表面形状における波形凹凸表面を、アンテナパターンの配線集約度に対応した凹凸分布を有するものとしたものである。
【発明の効果】
【０００９】
本発明の携帯電話機またはパーソナルコンピュータ用アンテナは、内装された電子回路との電磁波の干渉を遮断することができ、また、電子回路およびアンテナの設置位置の自由度を大幅に高くし、また、多様化したアンテナを配設することが可能となる。
【発明を実施するための最良の形態】
【００１０】
図１は、本発明の実施の形態１における携帯電話機またはパーソナルコンピュータ用アンテナの１例を模式的に示した断面図である。
図２は、本発明の実施の形態２における電磁波遮断および吸収層の１例を示す拡大断面図である。
図３は、本発明の実施の形態３における携帯電話機またはパーソナルコンピュータ用アンテナの他の例を模式的に示した断面図である。
図４は、磁性粉体の平均粒子径比Ｋ（但し、Ｋ＝ｄｓ／ｄｌ）と基本遮断および吸収層。
図５は、空隙率をパラメータとし、平均粒子径ｄ１と電磁波遮断および吸収効果（ＫＥＣ法評価）ｄＢを比較した図。
図６は、本発明の実施の形態４における携帯電話機またはパーソナルコンピュータ用アンテナの１例を模式的に示した説明図であり、（ａ）は携帯電話機またはパーソナルコンピュータの外装ケース、またはプレート乃至シート状よりなる少なくとも１層のアンテナ基体の１表面に異なるアンテナパターンを配置した場合の説明図、（ｂ）は携帯電話機またはパーソナルコンピュータの外装ケース、またはプレート乃至シート状よりなる少なくとも１層のアンテナ基体の１表面に異なるアンテナパターンを積層に配置した場合の説明断面図である。
図７は、本発明の実施の形５における携帯電話機またはパーソナルコンピュータ用アンテナセットの１例を模式的に示した断面図である。
図８は、本発明の実施の形態６における携帯電話機またはパーソナルコンピュータ用アンテナのアンテナ基体の断面の１例を模式的に示した説明図である。（ａ）は総体的断面、（ｂ）は部分拡大断面を示す。
図９は、本発明の実施の形態７における本発明の携帯電話機またはパーソナルコンピュータ用アンテナのアンテナ基体の断面の他の１例を模式的に示した説明図である。（ａ）は総体的断面、（ｂ）は部分拡大断面を示す。
図１０は、本発明の実施の形態８における携帯電話機またはパーソナルコンピュータ用アンテナのアンテナ基体の断面の第３の例を模式的に示した説明図である。ａ）は総体的断面、（ｂ）は部分拡大断面を示す。
１は携帯電話機またはパーソナルコンピュータのケース（プラスチック）、２は電磁波遮断および吸収層、２１は複数の電磁波遮断および吸収層の下層側層、２２は複数の電磁波遮断および吸収層の上層側層、３は極薄の絶縁層、４はアンテナパターン、４１はアンテナパターンの出力接点、５は保持材、５１は平均粒子径の大きな磁性粉体、５２は平均粒子径の小さな磁性粉体であり、６はアンテナセット、７はアンテナ基体、８は波形の凹凸表面部、９は平坦表面部である。
【００１１】
電磁波遮断手段としては、遮断材料、構造により電磁波の吸収効果、反射効果、散乱効果を期待する。従来多くの技術が、例えば金属板、箔や導電性塗料など、主としてその反射効果を期待するものが多い。従って、ねらいは反射効果のより高い材料であり、より大きな表面積、サイズとなっている。
しかしながら、電磁波遮断効果における広角入射に対する反射効果、散乱効果は、吸収効果に勝るとも劣らないほどの効果を有しており、本発明は、これらを総合してより効果的な電磁波遮断および吸収層が構成され、該電磁波遮断および吸収層と組み合わせることにより勝れた携帯電話機またはパーソナルコンピュータ用アンテナの提供を特徴としている。
【００１２】
［実施の形態１］
本発明の実施の形態１を図に基づき説明する。
図１において、携帯電話機またはパーソナルコンピュータのケース１の外表面に電磁波遮断および吸収層２とアンテナパタ−ン４を設ける。電磁波遮断および吸収層２は基本的に１層内において同一または異なる平均粒子径を有する磁性粉体５１、５２を保持材５により相互に非導通的に接着固定した層を基本的に複数層構成する。この場合磁性粉体５１、５２は、保持材５を塗布した塗布面に散布するか、予め保持材５に混合したものを塗布するかにより基本遮断および吸収層５０を作成し、該基本層５０を表面より加圧処理し、粒子密度を上げると同時に、粒子間の電磁波通過率を低下させる。なお、所要の粒子密度によっては、加圧処理を省くこともできる。
【００１３】
保持材５は、いわゆる合成樹脂接着剤ではなく、印刷用インキまたは塗料を使用する。
また、磁性粉体５１、５２は、少なくともＴｉ、Ｃｕ、Ｆｅ、Ｎｉ、Ｍｇ、Ｃ、Ｎｄ、ＡｕまたはＡｇの群より選ばれた１種としたものである。
前記加圧処理は、保持材５が半乾きの状態において、軽加重により行う。加圧圧力は（５〜５０）×１０3 Ｐａ程度が好ましい。５×１０3 Ｐａ以下では磁性粉体の分布密度は十分なものとならない。また、５０×１０3 Ｐａ以上では粒子間の保持材が磁性粉体の表面層に多量に滲みでて好ましくない。また、基本遮断および吸収層における磁性粉体の量、平均粒度条件、加圧処理条件等は遮断すべき電磁波の条件より適宜決めることができる。
【００１４】
本実施の形態において各層間で異なる平均粒径を有する磁性粉体を積層しさらに加圧処理をすることにより、単純な同一粒子径で構成される基本遮断および吸収層における電磁は遮断率を上げることができる。なお、所要の粒子密度によっては、加圧処理を省くこともできる。
これは、平均粒径の異なる磁性粉体を使用することにより、金属箔に較べ散乱効果、反射効果が相乗されより遮断および吸収が効果的になるためと考えられる。
この平均粒径の差には、或範囲に効果として適当なる範囲が存在することの知見が得られた。 
なお、電磁波遮断および吸収層２１、２２の積層順序は、電磁波遮断および吸収層２１／電磁波遮断および吸収層２２でも、電磁波遮断および吸収層２２／電磁波遮断および吸収層２１のいずれでもよいが、シールド効果としては、図１における平均粒径の大きな電磁波遮断および吸収層２１／平均粒径の小さな電磁波遮断および吸収層２２の順のものが安定してより高い効果が期待できる知見が得られた。
【００１５】
構成された電磁波遮断および吸収層２の表面に極薄い絶縁層３をコーティング法により形成し、その乾燥後、該コーティング表面に電解メッキ、または無電解メッキを介して、または導電性インキによる印刷を介してアンテナパターンの金属メッキを施す。金属メッキによるアンテナパターンは所要受信電波の条件により適宜選択されるが、アンテナパターンの厚さｔｍは１０〜１００μｍ、好ましくは１０〜１００μｍ、  線幅ｂｍは１０〜１０００μｍが好ましい。
なお、極薄い絶縁層３は、保持材５が十分な絶縁性を有している場合には、これを省略することもできる。
【００１６】
図４は、磁性粉体の平均粒径比Ｋ（但し、Ｋ＝ｄｓ／ｄｌ、  ｄｌ；大きいサイズの平均粒径（一定）、ｄｓ；小さいサイズの平均粒子径）と通過電磁波に対する基本遮断および吸収層の遮蔽率（計算）Δの関係を示す。但し、磁性粉体は、Ｆｅ粒子であり、磁性粉体の総重量は同一とした。遮蔽率（計算）Δは、粉体を完全球体とした場合の空間充足率（計算）を示す。
また、図５は、平均粒径比による遮断率Δをパラメータとし、平均粒径ｄｌと電磁波遮断および吸収効果（ＫＥＣ法評価）ｄＢを比較したものである。
【００１７】
図より、基本遮断および吸収層の平均粒径比Ｋは０．７以上では遮断率Δは約０．７でサチュレートしており、また、ｄｓを余り小さくしても遮断率Δの改善は認められない。
これを加圧処理することにより、総体的に遮断率Δは５〜２０％程度改善されることが確認された。
また、平均粒径ｄｌをいたずらに大きくしても、基本遮断および吸収層の厚さが厚くなるのみでシールド効果は改善されない。２００μｍ程度が上限と考えられる。
【００１８】
［実施の形態２］
本発明の実施の形態２を図に基づき説明する。
図２に示すように、本実施の形態２では、図１に示す実施の形態１における電磁波遮断および吸収層２が異なる平均粒子径ｄｌ、ｄｓの磁性粉５１、５２を、各層別に含有せしめたものに対して１層内に異なる平均粒子径の磁性粉５１、５２を混合配設して電磁波遮断および吸収層を構成したものである。
すなわち、図２において、携帯電話機またはパーソナルコンピュータのケース１の外表面に基本的に異なる平均粒子径を有する磁性粉体５１、５２を混合し、保持材にて接着固定された各電磁波遮断および吸収層として使用するものである。加圧処理の方法は実施の形態１と略同一である。
【００１９】
本実施の形態２によるシールド効果は、実施の形態１の場合とほぼ同一の効果が得られるが、実施の形態１では異なる平均粒子径の磁性粉体を均一に混合して存在させるための工数が必要であるが、比較的容易に電磁波遮断および吸収層を構成することができる特徴がある。
【００２０】
［実施の形態３］
本実施の形態３は、図３に示すごとく、本発明のアンテナを携帯電話機またはパーソナルコンピュータのケース裏側に設けたものであり、該ケース内側にアンテナパターン側が当接される。また、この場合、図３に示すように絶縁層３をアンテナパターン４の線幅間に充填されるように構成することが好ましい。電磁波遮断および吸収効果効果は実施の形態１、２に準じている。
【００２１】
本実施の形態３は、主としてパーソナルコンピュータなどに使用する場合であって、アンテナパターンは線状のアンテナに対して、或るベタ面積範囲Ａを有する面状アンテナを含むものである。含まれるベタ面積範囲Ａは、その受信仕様により決められるものであり、０．２５〜５０ｃｍ2 のベタ面積程度、例えば７０ｍｍ×４０ｍｍ、２０ｍｍ×５ｍｍ等の矩形ベタ面積等、であることが好ましい。
なお、本発明においては、線状アンテナとの併用を妨げるものではない。
【００２２】
［実施の形態４］
図６は、本実施の形態４における携帯電話機またはパーソナルコンピュータ用アンテナの１例を模式的に示した説明図であり、（ａ）は携帯電話機またはパーソナルコンピュータの外装ケース１、またはプレート乃至シート状よりなる少なくとも１層のアンテナ基体７の１表面に異なるアンテナパターン４０１、４０２、４０３を配置した場合であり、（ｂ）は携帯電話機またはパーソナルコンピュータの外装ケース１、またはプレート乃至シート状よりなる少なくとも１層のアンテナ基体７の１表面に異なるアンテナパターンを積層に配置した場合である。いずれの場合でも、各アンテナパターンの端子は集約されアンテナ出力接点として、電子回路に接合される。
（ｂ）の場合、実施の形態１と異なる点は電磁波遮断および吸収層２がなく、薄い絶縁層３を介してアンテナパターン４が層状に積層されているものである。この場合は電磁波遮断および吸収層は別途の手段により補われる。    
【００２３】
［実施の形態５］
図７は、本実施の形態５における携帯電話機またはパーソナルコンピュータ用のアンテナセットの１例を模式的に示した断面図である。  本実施の形態５のアンテナセット６は基本的には、層状に構成されたアンテナパターン４を有する複数のアンテナ基体７を層状に集約し、１つのアンテナセット６としたものである。各アンテナパターンの出力端子は1ヶ所に出力接点として集約され、ワンタッチで携帯電話機本体側と結合される。
従って、本実施の形態の複数のアンテナ基体７の構成は、シート状基体よりはハードなプレート状基体の方が好ましい。                異なったアンテナパターン４を配設された複数のアンテナ基体７は１ブロックとしてのアンテナセット６に纏められ、また各アンテナパターン４の出力接点４１は１ヶ所に集約され、該アンテナセット６は携帯電話機外装ケースにワンタッチ形式で嵌め込まれ、出力接点が接続される。
従って、アンテナセット６は、基本的に嵌め込まれる携帯電話機外装ケースの内形状に沿って形状を有する。従ってアンテナパターン４の印刷は本出願人による特許第２９６１１５３号や特開２００６−０６９１７５号などの曲面印刷方法により曲面印刷される。
【００２４】
［実施の形態６］
図８は本実施の形態６のアンテナ基体７の構成を模式的に示す断面説明図であり、（ａ）は総体的説明図、（ｂ）は拡大説明図である。
本実施の形態６は、前記実施の形態５におけるアンテナ基体７の両表面形状を、平坦形状から波形の凹凸形状とすることにより表面積を増し、アンテナパターン４の集約度の拡大を図ったものであり、また、波形の凹凸形状の角度付け表面は受信電波に対する感度を向上することができる。なお、各アンテナ基体７における層状のアンテナパターン４の層構成は、前記実施の形態１〜４に準じる構成を用いることができる。
【００２５】
［実施の形態７］
図９は本実施の形態７のアンテナ基体７の構成を模式的に示す断面説明図であり、（ａ）は総体的説明図、（ｂ）は拡大説明図である。
本実施の形態７は、前記実施の形態５におけるアンテナ基体７の表面形状を、上面を波形の凹凸形状とし、下面を平坦表面として構成したものである。各アンテナ基体７における層状のアンテナパターン４の層構成は、前記実施の形態１〜４に準じる構成が用いられる。
【００２６】
［実施の形態８］
図１０は本実施の形態８のアンテナ基体７の構成を模式的に示す断面説明図であり、（ａ）は総体的説明図、（ｂ）は拡大説明図である。
本実施の形態８は、前記実施の形態５におけるアンテナ基体７の表面形状をアンテナパターンのパターンの集約度や機能別のパターンに即した表面形状とするものであり、平坦形状に近い表面部や、異なる波形凹凸形状部を集約度や機能別のパターンに即し配置するものである。これによりアンテナ基体７の形状の縮小化を図ることができ、また多機能のアンテナパターンを集約して配設することができる。
【産業上の利用可能性】
【００２７】
本発明は、携帯電話機またはパーソナルコンピュータ用を対象としたアンテナであるが、ＴＶ、医療機器等の電子機器におけるアンテナシステムとして利用することができる。
また、実施の形態６〜８のアンテナ基体の基本的表面形状は、アンテナパターンばかりでなく、ＩＣにおける回路配線にも基体として応用することができる。
【図面の簡単な説明】
【００２８】
【図１】本発明の携帯電話機またはパーソナルコンピュータ用アンテナの１例を模式的に示した断面図。
【図２】図１における電磁波遮断および吸収層の他の例を示す拡大断面図。
【図３】本発明の携帯電話機またはパーソナルコンピュータ用アンテナの他の例を模式的に示した断面図。
【図４】磁性粉体の平均粒子径比Ｋ（但し、Ｋ＝ｄｓ／ｄｌ）と基本遮断および吸収層の遮蔽率（計算）Δの関係を示す図。
【図５】空隙率Δをパラメータとし、平均粒子径ｄｌと電磁波遮断および吸収効果（ＫＥＣ法評価）ｄＢを比較した図。
【図６】本実施の形態４における携帯電話機またはパーソナルコンピュータ用アンテナの１例を模式的に示した説明図であり、（ａ）は外装ケース、またはアンテナ基体の表面に異なるアンテナパターンを配置した場合の説明図、（ｂ）は外装ケース、またはアンテナ基体の表面に異なるアンテナパターンを積層に配置した場合の説明断面図。
【図７】本実施の形態５のアンテナ基体７の構成を模式的に示す断面説明図であり、（ａ）は総体的説明図、（ｂ）は拡大説明図。
【図８】本実施の形態６のアンテナ基体７の構成を模式的に示す断面説明図であり、（ａ）は総体的説明図、（ｂ）は拡大説明図。
【図９】本実施の形態７のアンテナ基体７の構成を模式的に示す断面説明図であり、（ａ）は総体的説明図、（ｂ）は拡大説明図。
【図１０】本実施の形態８のアンテナ基体７の構成を模式的に示す断面説明図であり、（ａ）は総体的説明図、（ｂ）は拡大説明図。
【符号の説明】
【００２９】
１  携帯電話機またはパーソナルコンピュータの外装ケース（合成樹脂）、
２  電磁波遮断および吸収層、
２１  複数の電磁波遮断および吸収層の下層側層、
２２  複数の電磁波遮断および吸収層の上層側層、
３  極薄の絶縁層、
４  アンテナパターン、
４０１、４０２、４０３  異なるアンテナパターン、
４１  アンテナパターンの出力接点、
５  保持材、
５１  平均粒子径の大きな磁性粉体、
５２  平均粒子径の小さな磁性粉体、
６  アンテナセット、
７  アンテナ基体、
８   波形の凹凸形状面、
９  平坦表面。
【図１】
2009159588.tif 000003
【図２】
2009159588.tif 000004
【図３】
2009159588.tif 000005
【図４】
2009159588.tif 000006
【図５】
2009159588.tif 000007
【図６】
2009159588.tif 000008
【図７】
2009159588.tif 000009
【図８】
2009159588.tif 000010
【図９】
2009159588.tif 000011
【図１０】
2009159588.tif 000012